(57)【要約】【課題】ちょっと小腹が空いた時、簡単に空腹を満たす手段として、箸やスプーンなどの道具を使う事なく、又包装材も必要ない、簡単で衛生的に食物を出没自在に出来る容器を提供する。【解決手段】上端部及び下端部が開口した内周が筒状の容器であって、該容器内周に、上端部から下端部にまで達するガイド凸部を１つ以上設けると共に、該容器下端部近傍外周又は内周に嵌合部を設けた容器と、該容器の上端開口部に着脱自在に取り付けられるキャップ体と、該容器下端開口部に着脱自在に取り付けられる該容器嵌合部に嵌合される嵌合受部を外周又は内周に設けた回動体と、該回動体に連結され、該容器本体内に突設する螺合軸体と、該螺合軸体に螺合して着脱自在に取り付けられる、中央に螺合部を有し外周に該容器ガイド凸部と嵌合するガイド凹部を１つ以上設けた食物載置皿とからなる食物を収容する弁当ケース。【選択図】図２
2018033909.tif 000002
【特許請求の範囲】
【請求項１】
上端部及び下端部が開口した内周が筒状の容器であって、該容器内周に、上端部から下端部にまで達するガイド凸部を１つ以上設けると共に、該容器下端部近傍外周又は内周に嵌合部を設けた容器と、該容器の上端開口部に着脱自在に取り付けられるキャップ体と、該容器下端開口部に着脱自在に取り付けられる該容器嵌合部に嵌合される嵌合受部を外周又は内周に設けた回動体と、該回動体に連結され、該容器本体内に突設する螺合軸体と、該螺合軸体に螺合して着脱自在に取り付けられる、中央に螺合部を有し外周に該容器ガイド凸部と嵌合するガイド凹部を１つ以上設けた食物載置皿とからなる食物を収容する弁当ケース。
【請求項２】
該螺合軸体の先端を、凹凸がなく滑らかな円錐状にした請求項１記載の弁当ケース。
【請求項３】
該食物載置皿の上面が平板状の請求項１乃至２いずれかに記載の弁当ケース。
【請求項４】
該食物載置皿を複数設けた、請求項１乃至３いずれかに記載の弁当ケース。
【請求項５】
該容器を縦に２分割した、請求項１乃至４いずれかに記載の弁当ケース。
【請求項６】
２分割した容器に連結部と係止具を設けた、請求項１乃至５いずれかに記載の弁当ケース。
【請求項７】
該螺合軸体を該回動体に着脱自在にした、請求項１乃至６いずれかに記載の弁当ケース。
【発明の詳細な説明】
【技術分野】
【０００１】本発明は、容器本体の底部に着脱自在に取り付けられた回動体を回転させて、容器本体内に収容された食物を出没自在に繰出す弁当ケースに関する。
【従来技術】
【０００２】従来、外出先で食事をする為の容器として箸やスプーンを使って食べる弁当箱がある。又、ちょっと小腹が空いた時に食べるおにぎりもある。通常おにぎりを外で食べる時、衛生面を考えおにぎり本体に手が触れない様、両手で慎重に包装材を剥がし、剥がした包装材でおにぎりを支えながら食べていた。この様におにぎりに手が触れない様に食べるのは、特に子供には難しく、うっかり手が触れてしまい不衛生になりがちだった。又包装材を剥がす時、手間がかかるだけでなく、剥がす様子も、おにぎり本体も周囲にさらさざるを得ないので、今からおにぎりを食べます、今おにぎりを食べていますという事が周りにはっきりわかる為、決められた場所や、よほど人目につかない場所でしか食べる事が出来なかった。更に食べ終わった後、包装材がゴミになり、ゴミ箱に捨てに行かなければならなかった。
【０００３】又、糊や口紅等の固形物を出没自在に出来る、固形物繰り出し容器が多数製造販売されている。例えば糊の場合、容器から繰り出した糊の先端を紙等に押し当てて、前後左右に移動させて塗布するものなので、使用の度に紙等にひっついたり、引っ張られたりして糊に圧力がかかる為、糊が容器内でグラグラとがたついたり、折れたりする不安があった。又口紅も先端を唇に押し当てて塗るので、糊と同様の不安があった。それら不安を解消する為、糊や口紅等の固形物は、固形物を載置する保持体にしっかり確実に保持出来る様、保持体上面の外周に突起物等の凹凸を設けたり、筒状に形成しなければならなかった。
【先行技術文献】
【０００４】
【特許文献１】特開２００２−０８６９８９
【特許文献２】特開２０００−００４９３４
【特許文献３】特開２００２−１１３９９２
【発明の概要】
【解決しようとする課題】
【０００５】本発明は上術した事項に鑑み、外出先でちょっと小腹が空いた時、簡単に空腹を満たす手段として、箸やスプーン等の道具を使う事なく、又包装材も必要ない、簡単で衛生的に食物を出没自在に出来る容器を提供する。
【課題を解決する為の手段】
【０００６】本発明は、上端部及び下端部が開口した内周が筒状の容器であって、該容器内周に、上端部から下端部にまで達するガイド凸部を１つ以上設けると共に、該容器下端部近傍外周又は内周に嵌合部を設けた容器と、該容器の上端開口部に着脱自在に取り付けられるキャップ体と、該容器下端開口部に着脱自在に取り付けられる該容器嵌合部に嵌合される嵌合受部を外周又は内周に設けた回動体と、該回動体に連結され、該容器本体内に突設する螺合軸体と、該螺合軸体に螺合して着脱自在に取り付けられる、中央に螺合部を有し外周に該容器ガイド凸部と嵌合するガイド凹部を１つ以上設けた食物載置皿とからなる食物を収容する弁当ケースである。
【０００７】螺合軸体の先端を、凹凸がなく滑らかな円錐状にした請求項１記載の弁当ケースである。
【０００８】食物載置皿の上面が平板状の請求項１乃至２いずれかに記載の弁当ケースである。
【０００９】食物載置皿を複数設けた、請求項１乃至３いずれかに記載の弁当ケースである。
【００１０】容器を縦に２分割した、請求項１乃至４いずれかに記載の弁当ケースである。
【００１１】２分割した容器に連結部と係止具を設けた、請求項１乃至５いずれかに記載の弁当ケースである。
【００１２】螺合軸体を該回動体に着脱自在にした、請求項１乃至６いずれかに記載の弁当ケースである。
【発明の効果】
【００１３】請求項１記載の弁当ケースの容器は、御飯や一口大にカットした柔らかい惣菜、野菜等の食物を詰めるもので、使用の度に簡単に洗浄出来る事と、衛生的に保つ事が何より重要である。その為容器を上端部及び下端部が開口した単体の筒状に形成した事によって、大変洗浄し易いという大きな効果がある。
【００１４】又、容器下端部近傍外周又は内周に嵌合凸部を設け、回動体の外周又は内周に設けた嵌合凹部と嵌合させ、容器と回動体を簡単に着脱自在に出来る様にしている。これにより、容器だけでなく、回動体も大変洗浄し易いという効果がある。同時に、回動体に連結され容器内に突設する螺合軸体も、大変洗浄し易くなる。
【００１５】食物載置皿は、螺合軸体に螺合する螺合部を中央に有すると共に、外周に容器内周のガイド凸部と嵌合するガイド凹部を設けた事により、回動体を回転させた時、容器内周のガイド凸部に案内されて上下にスライドし、食物載置皿に載置した食物を、容器上端開口部から出没自在に出来る様にしている。使用後は該螺合軸体から取り外して洗浄出来るので、大変衛生的である。
【００１６】キャップ体も同様に、容器から着脱自在なので、洗浄が簡単である。
【００１７】この様に本発明の弁当ケースは、各パーツが単体で、着脱が簡単に出来る様にした事で、大変洗浄し易く、衛生的に使用出来るという効果がある。
【００１８】使用時は、キャップ体を外し、片手で容器を持ち、もう片方の手で容器下端部の回動体を回転させ、一口分の食物を出して口に入れるだけなので、食物に一切手が触れず、大変衛生的に食べる事が出来る。子供の手が汚れている、外出先で手が洗えない、そんな環境にある時でも、衛生的に安心して食べられる。
【００１９】又、包装材を剥がす手間も無く、ゴミも出ないので、ゴミを捨てに行く面倒も無い。
【００２０】更に、箸やスプーン等を使う必要もないので、手軽に小腹を満たす事が出来、大変便利である。
【００２１】外出先でちょっと小腹を満たしたいだけという時、わざわざ高い飲食代を支払って飲食店に入るのは不経済だし、かといっておにぎりを買って食べようとしても、おにぎりの包装材を剥き、おにぎり全体を露出しながら食べなければならないので、ある程度指定された場所でしか食べられなかった。本発明の弁当ケースは、食べる時容器から外に出るのは食べる一口分だけなので、周囲に食べている事が気付かれ難く、多少人目につかない場所があれば、おにぎりよりも人目を気にせずに食べられる。もし急に食べにくい環境になっても、すぐにキャップをして移動出来るので、大変便利である。
【００２２】請求項２記載の弁当ケースの螺合軸体は、先端の表面を凹凸のない滑らかな円錐状にした事により、御飯や一口大にカットした柔らかい惣菜、野菜等を収容した容器の中に挿入した時、串の様な効果を発揮し大変通り易くなる。
【００２３】請求項３記載の弁当ケースの食物載置皿は、皿の上面が筒状になっていたり、上面に凹凸があると、凹部に食物が残り最後まで食べる事が出来ず、又、使用後も洗浄に大変手間がかかり不衛生になりがちだが、上面を平板状に形成した事で、食物載置皿に載せられた食物を最後まで食べる事が出来ると共に、大変洗浄し易くなる。
【００２４】請求項４記載の弁当ケースの食物載置皿は、一つの螺合軸体に食物載置皿を複数設置した事で、一段目に例えば御飯を、２段目に例えば一口大にカットした柔らかい惣菜、野菜等を収容すると、複数の食材の味が混ざらない様に出来るという効果がある。おにぎりでは野菜を摂取しづらいが、一口大にカットした柔らかい惣菜や、野菜を少し入れる事によって、御飯だけよりも栄養のバランスを採る事が出来る。
【００２５】請求項５記載の弁当ケースの容器は、縦に２分割した事によって、容器内が更に洗浄し易くなるという大きな効果がある。又、容器に食物が大変詰め易くなると共に、具材を容器内の好きな所に入れる事が出来るので、バラエティーにとんだ食物が出来る。
【００２６】請求項６記載の弁当ケースの容器は、請求項５記載の２分割した容器に連結部と係止部を設けた事により、容器を開閉自在に出来る。
【００２７】請求項７記載の弁当ケースの螺合軸体は、回動体から着脱自在にした事によって、回動体も螺合軸体も更に洗浄し易く出来る。
【図面の簡単な説明】
【００２８】
【図１】本発明の携帯時の斜視図
【図２】各パーツの斜視図
【図３】２分割した容器に連結部と係止具を設けた斜視図
【図４】２分割した容器に連結部のみを設けた斜視図
【図５】食物載置皿を複数設けた斜視図
【図６】螺合軸体を回動体から着脱自在にした斜視図
【発明を実施する為の形態】
【００２９】以下、本発明の実施の形態を図１から図６に基づいて説明する。
【００３０】図１は、弁当ケース携帯時の斜視図である。真冬、真夏は保冷バックに入れて持ち運べば、冬暖かく、夏腐りにくく安心である。
【００３１】図２は、弁当ケースの各パーツの斜視図であって、食物を収容する容器２、回動体３、螺合軸体１２、食物載置皿９、キャップ体１とを備えている。
【００３２】食物を収容する容器２は、上端部及び下端部が開口した筒状の単体の容器であって、容器内周には、上端部から下端部にまで達するガイド凸部５を対面に２つ設け、食物載置皿９に設けたガイド凹部８と嵌合させて、回動体３を回転させた時食物載置皿９が容器２内を上下にスライド出来る様に形成されている。又、容器下端開口部７近傍外周に嵌合凸部６を設けて、回動体３の嵌合凹部１４と嵌合して容器２と回動体３が着脱自在に出来る様にしている。
【００３３】回動体３は、上記した様に容器下端開口部７に着脱自在に嵌合出来る様、嵌合凹部１３を回動体３の内周に設けている。
【００３４】外表面に螺合部を有する螺合軸体１２は、回動体３の中央に連結され、容器２内に詰められた御飯、一口大にカットされた柔らかい惣菜、野菜等の中を貫通し易くする為、先端が円錐状１１に形成されている。円錐１１の表面は凹凸がなく、滑らかに形成する事によって、串の様な効果を発揮する。円錐１１の高さは、少なくとも円柱状の螺合軸体１２の直径以上必要である。
【００３５】食物載置皿９は、上面が平板状に形成され、中央に螺合軸体１２に螺合する筒状の螺合部１０を設け、筒状の螺合部１０は、食物載置皿９の上面より下方向に形成される。又、食物載置皿９の外周に、容器内周のガイド凸部５に嵌合するガイド凹部８を、対面に２つ設けている。これにより、食物載置皿９は螺合軸体１２に螺合して取り付けられ、食物載置皿９のガイド凹部８と容器内のガイド凸部５を嵌合させ、回動体３を回転する事によって、容器内を上下にスライドし、食物を出没自在に出来る様にしている。
【００３６】食物載置皿９は柔らかい食物を載置するもので、容器２から一口分の食物を繰り出した後ただ口に入れるだけなので、食物載置皿９自体で内容物を動かない様に固定したり、グラグラとがたつかないように保持する必要がない。その為、糊や口紅容器の様に、保持体の上面を筒状に形成したり突起部等の凹凸を設けて支えたりする必要もない。よって食物載置皿９は上面を平板状に形成した事で、食べた時皿に食物が残らず、全部食べきる事が出来ると共に、大変洗浄し易くなるという効果がある。又、螺合軸体から着脱自在なので更に洗浄し易い。
【００３７】キャップ体１は、容器上端開口部４に着脱自在に取り付けられるので、簡単に洗浄出来る。
【００３８】各パーツの全ての角部は、洗浄し易い様に面取りをして局面に形成されている。
【００３９】本発明の弁当ケースに収容される食物とは、御飯や、簡単な惣菜、野菜、菓子等、先端を円錐状１１に形成した螺合軸体１２が貫通出来る程度に柔らく、一口大にカットされたものであれば何でも良い。
【００４０】以下、図２構成の使用方法を説明する。容器上端開口部４にキャップ体１を装着した後、装着したキャップ体１を底にし、容器２の下端開口部７を上にして、下端開口部７より例えば御飯を詰める。食物載置皿９は、螺合軸体１２の一番下まで下げて設置し、設置した螺合軸体１２を容器下端開口部７より御飯の中に挿入して、回動体３と容器２を嵌合させる。食べる時は、容器２のキャップ１を外し、容器下端部の回動体３を回転させて、一口分の御飯を容器上端開口部４から出して口に入れるというものである。又、水滴が気になる場合は回動体３底部に給水シートを敷いておくと安心である。
【００４１】弁当ケースの各パーツの原材料は、ポリプロピレン等の合成樹脂、その他食材がこびり付かない材質であれば特に指定はない。
【００４２】図３は、縦に２分割した容器１６に、連結部１４と係止具１５を設けて一体成型し、開閉自在に出来る様にした容器１６の斜視図である。容器を２分割した事によって、筒状の容器２より御飯等の食物が詰め易いと共に、大変洗浄し易くなるという大きな効果がある。
【００４３】図４は、縦に２分割した容器１６に係止具を設けないで、容器１６の両端部の軸方向に沿って段差１７を設けて容器１６を嵌合させ、連結部１４を設けて一体化して成型した容器１６の斜視図である。又、図３、図４にこだわらず、他の方法で２つの容器１６を嵌合させても良い。
【００４４】図５は、２分割した容器１６に、２つの食物載置皿９、１８を設置した螺合軸体１２と回動体３を取り付けた断面図である。回動体３の上部は容器１６内に挿入し、回動体３下部は容器１６外に出る様に形成されていて、回動体３の上部の外周に嵌合凹部１９を設け、２分割した容器１６内周に形成した嵌合凸部２０と嵌合させて、容器１６を閉じた時、回動体３を回転させる事によって、食物を容器上端開口部４から出没出来る様にされている。
【００４５】図６は、着脱自在にした回動体３と螺合軸体１２の斜視図である。螺合軸体１２は底面を長方形の立方体２１に形成し、回動体３は内側の底部中央に２つの凸部２２を設け、螺合軸体１２と回動体３を嵌合させる様にしている。図６以外にも嵌合部を四角形にしたり、ドライバーの様に、＋形状、六角形等、嵌合せせる方法は形のみならずどの様な方法でも良い。
【００４６】尚、全図において、容器２、１６内周にガイド凸部５、食物載置皿９にガイド凹部８としているが、容器２、１６と食物載置皿９の凹凸が逆になっても良い。又、容器下端開口部７近傍に設けた嵌合凸部６と、回動体３に設けた嵌合凹部１３も凹凸が逆になっても良い。同様に、回動体３と螺合軸体１２を嵌合する凹凸も逆になっても良い。
【符号の説明】
【００４７】１    キャップ体
２    容器
３    回動体
４    容器上端開口部
５    容器ガイド凸部
６    容器嵌合凸部
７    容器下端開口部
８    食物載置皿ガイド凹部
９    食物載置皿
１０  筒状の螺合部
１１  円錐
１２  螺合軸体
１３  回動体内周に設けた嵌合凹部
１４  連結部
１５  係止具
１６  ２分割した容器
１７  段差
１８  第２の食物載置皿
１９  回動体外周に設けた嵌合凹部
２０  ２分割した容器の嵌合凸部
２１  螺合軸体の嵌合部
２２  回動体の嵌合受部
【図１】
2018033909.tif 000003
【図２】
2018033909.tif 000004
【図３】
2018033909.tif 000005
【図４】
2018033909.tif 000006
【図５】
2018033909.tif 000007
【図６】
2018033909.tif 000008
【手続補正書】
【提出日】平成29年10月13日(2017.10.13)
【手続補正１】
【補正対象書類名】特許請求の範囲
【補正対象項目名】全文
【補正方法】変更
【補正の内容】
【特許請求の範囲】
【請求項１】
上端部及び下端部が開口した内周が筒状の容器であって、該容器内周に、上端部から下端部にまで達するガイド凸部を１つ以上設けると共に、該容器下端部近傍外周又は内周に嵌合部を設けた容器と、該容器の上端開口部に着脱自在に取り付けられるキャップ体と、該容器下端開口部に着脱自在に取り付けられる該容器嵌合部に嵌合される嵌合受部を外周又は内周に設けた回動体と、該回動体に連結され、該容器本体内に突設する先端を凹凸がなく滑らかな円錐状にした螺合軸体と、該螺合軸体に螺合して着脱自在に取り付けられる、中央に螺合部を有し外周に該容器ガイド凸部と嵌合するガイド凹部を１つ以上設けた食物載置皿とからなる食物を収容する弁当ケース。
【請求項２】
上端部及び下端部が開口した内周が筒状の容器であって、該容器内周に、上端部から下端部にまで達するガイド凸部を１つ以上設けると共に、該容器下端部近傍外周又は内周に嵌合部を設けた容器と、該容器の上端開口部に着脱自在に取り付けられるキャップ体と、該容器下端開口部に着脱自在に取り付けられる該容器嵌合部に嵌合される嵌合受部を外周又は内周に設けた回動体と、該回動体に連結され、該容器本体内に突設する螺合軸体と、該螺合軸体に螺合して着脱自在に取り付けられる、中央に螺合部を有し外周に該容器ガイド凸部と嵌合するガイド凹部を１つ以上設けた、複数の食物載置皿とからなる食物を収容する弁当ケース。
【請求項３】
該容器を縦に2分割した、請求項１乃至２いずれかに記載の弁当ケース。
【請求項４】
２分割した容器に連結部と係止具を設けた、請求項１乃至３いずれかに記載の弁当ケース。
【請求項５】
該螺合軸体を該回動体に着脱自在にした、請求項１乃至４いずれかに記載の弁当ケース。
【手続補正２】
【補正対象書類名】明細書
【補正対象項目名】全文
【補正方法】変更
【補正の内容】
【発明の詳細な説明】
【技術分野】
【０００１】
本発明は、容器本体の底部に着脱自在に取り付けられた回動体を回転させて、容器本体内に収容された食物を出没自在に繰出す弁当ケースに関する。
【背景技術】
【０００２】
従来、外出先で食事をする為の容器として箸やスプーンを使って食べる弁当箱がある。又、ちょっと小腹が空いた時に食べるおにぎりもある。通常おにぎりを外で食べる時、衛生面を考えおにぎり本体に手が触れない様、両手で慎重に包装材を剥がし、剥がした包装材でおにぎりを支えながら食べていた。この様におにぎりに手が触れない様に食べるのは、特に子供には難しく、うっかり手が触れてしまい不衛生になりがちだった。又包装材を剥がす時、手間がかかるだけでなく、剥がす様子も、おにぎり本体も周囲にさらさざるを得ないので、今からおにぎりを食べます、今おにぎりを食べていますという事が周りにはっきりわかる為、決められた場所や、よほど人目につかない場所でしか食べる事が出来なかった。更に食べ終わった後、包装材がゴミになり、ゴミ箱に捨てに行かなければならなかった。
【０００３】
又、糊や口紅等の固形物を出没自在に出来る、固形物繰り出し容器が多数製造販売されている。例えば糊の場合、容器から繰り出した糊の先端を紙等に押し当てて、前後左右に移動させて塗布するものなので、使用の度に紙等にひっついたり、引っ張られたりして糊に圧力がかかる為、糊が容器内でグラグラとがたついたり、折れたりする不安があった。又口紅も先端を唇に押し当てて塗るので、糊と同様の不安があった。それら不安を解消する為、糊や口紅等の固形物は、固形物を載置する保持体にしっかり確実に保持出来る様、保持体上面の外周に突起物等の凹凸を設けたり、筒状に形成しなければならなかった。
【先行技術文献】
【特許文献】
【０００４】
【特許文献１】特開２００２−０８６９８９
【特許文献２】特開２０００−００４９３４
【特許文献３】特開２００２−１１３９９２
【発明の概要】
【発明が解決しようとする課題】
【０００５】
本発明は上術した事項に鑑み、外出先でちょっと小腹が空いた時、簡単に空腹を満たす手段として、箸やスプーン等の道具を使う事なく、又包装材も必要ない、簡単で衛生的に食物を出没自在に出来る容器を提供する。
【課題を解決するための手段】
【０００６】
本発明は、上端部及び下端部が開口した内周が筒状の容器であって、該容器内周に、上端部から下端部にまで達するガイド凸部を１つ以上設けると共に、該容器下端部近傍外周又は内周に嵌合部を設けた容器と、該容器の上端開口部に着脱自在に取り付けられるキャップ体と、該容器下端開口部に着脱自在に取り付けられる該容器嵌合部に嵌合される嵌合受部を外周又は内周に設けた回動体と、該回動体に連結され、該容器本体内に突設する先端を凹凸がなく滑らかな円錐状にした螺合軸体と、該螺合軸体に螺合して着脱自在に取り付けられる、中央に螺合部を有し外周に該容器ガイド凸部と嵌合するガイド凹部を１つ以上設けた食物載置皿とからなる食物を収容する弁当ケースである。
【０００７】
上端部及び下端部が開口した内周が筒状の容器であって、該容器内周に、上端部から下端部にまで達するガイド凸部を１つ以上設けると共に、該容器下端部近傍外周又は内周に嵌合部を設けた容器と、該容器の上端開口部に着脱自在に取り付けられるキャップ体と、該容器下端開口部に着脱自在に取り付けられる該容器嵌合部に嵌合される嵌合受部を外周又は内周に設けた回動体と、該回動体に連結され、該容器本体内に突設する螺合軸体と、該螺合軸体に螺合して着脱自在に取り付けられる、中央に螺合部を有し外周に該容器ガイド凸部と嵌合するガイド凹部を１つ以上設けた、複数の食物載置皿とからなる食物を収容する弁当ケースである。
【０００８】
容器を縦に2分割した、請求項１乃至２いずれかに記載の弁当ケースである。
【０００９】
２分割した容器に連結部と係止具を設けた、請求項１乃至３いずれかに記載の弁当ケースである。
【００１０】
該螺合軸体を該回動体に着脱自在にした、請求項１乃至４いずれかに記載の弁当ケースである。
【発明の効果】
【００１１】
請求項１記載の弁当ケースの容器は、御飯や一口大にカットした柔らかい惣菜、野菜等の食物を詰めるもので、使用の度に簡単に洗浄出来る事と、衛生的に保つ事が何より重要である。その為容器を上端部及び下端部が開口した単体の筒状に形成した事によって、大変洗浄し易いという大きな効果がある。
【００１２】
又、容器下端部近傍外周又は内周に嵌合凸部を設け、回動体の外周又は内周に設けた嵌合凹部と嵌合させ、容器と回動体を簡単に着脱自在に出来る様にしている。これにより、容器だけでなく、回動体も大変洗浄し易いという効果がある。同時に、回動体に連結され容器内に突設する螺合軸体も、大変洗浄し易くなる。
【００１３】
食物載置皿は、螺合軸体に螺合する螺合部を中央に有すると共に、外周に容器内周のガイド凸部と嵌合するガイド凹部を設けた事により、回動体を回転させた時、容器内周のガイド凸部に案内されて上下にスライドし、食物載置皿に載置した食物を、容器上端開口部から出没自在に出来る様にしている。使用後は該螺合軸体から取り外して洗浄出来るので、大変衛生的である。
【００１４】
キャップ体も同様に、容器から着脱自在なので、洗浄が簡単である。
【００１５】
螺合軸体は、先端の表面を凹凸のない滑らかな円錐状にした事により、御飯や一口大にカットした柔らかい惣菜、野菜等を収容した容器の中に挿入した時、串の様な効果を発揮し大変通り易くなる。
【００１６】
この様に本発明の弁当ケースは、各パーツが単体で、着脱が簡単に出来る様にした事で、大変洗浄し易く、衛生的に使用出来るという効果がある。
【００１７】
使用時は、キャップ体を外し、片手で容器を持ち、もう片方の手で容器下端部の回動体を回転させ、一口分の食物を出して口に入れるだけなので、食物に一切手が触れず、大変衛生的に食べる事が出来る。子供の手が汚れている、外出先で手が洗えない、そんな環境にある時でも、衛生的に安心して食べられる。
【００１８】
又、包装材を剥がす手間も無く、ゴミも出ないので、ゴミを捨てに行く面倒も無い。
【００１９】
更に、箸やスプーン等を使う必要もないので、手軽に小腹を満たす事が出来、大変便利である。
【００２０】
外出先でちょっと小腹を満たしたいだけという時、わざわざ高い飲食代を支払って飲食店に入るのは不経済だし、かといっておにぎりを買って食べようとしても、おにぎりの包装材を剥き、おにぎり全体を露出しながら食べなければならないので、ある程度指定された場所でしか食べられなかった。本発明の弁当ケースは、食べる時容器から外に出るのは食べる一口分だけなので、周囲に食べている事が気付かれ難く、多少人目につかない場所があれば、おにぎりよりも人目を気にせずに食べられる。もし急に食べにくい環境になっても、すぐにキャップをして移動出来るので、大変便利である。
【００２１】
請求項２記載の弁当ケースの食物載置皿は、一つの螺合軸体に食物載置皿を複数設置した事で、一段目に例えば御飯を、２段目に例えば一口大にカットした柔らかい惣菜、野菜等を収容すると、複数の食材の味が混ざらない様に出来るという効果がある。おにぎりでは野菜を摂取しづらいが、一口大にカットした柔らかい惣菜や、野菜を少し入れる事によって、御飯だけよりも栄養のバランスを採る事が出来る。
【００２２】
請求項３記載の弁当ケースの容器は、縦に２分割した事によって、容器内が更に洗浄し易くなるという大きな効果がある。又、容器に食物が大変詰め易くなると共に、具材を容器内の好きな所に入れる事が出来るので、バラエティーにとんだ食物が出来る。
【００２３】
請求項４記載の弁当ケースの容器は、請求項５記載の２分割した容器に連結部と係止部を設けた事により、容器を開閉自在に出来る。
【００２４】
請求項５記載の弁当ケースの螺合軸体は、回動体から着脱自在にした事によって、回動体も螺合軸体も更に洗浄し易く出来る。
【図面の簡単な説明】
【００２５】
【図１】本発明の携帯時の斜視図
【図２】各パーツの斜視図
【図３】２分割した容器に連結部と係止具を設けた斜視図
【図４】２分割した容器に連結部のみを設けた斜視図
【図５】食物載置皿を複数設けた斜視図
【図６】螺合軸体を回動体から着脱自在にした斜視図
【発明を実施するための形態】
【００２６】
以下、本発明の実施の形態を図１から図６に基づいて説明する。
【００２７】
図１は、弁当ケース携帯時の斜視図である。真冬、真夏は保冷バックに入れて持ち運べば、冬暖かく、夏腐りにくく安心である。
【００２８】
図２は、弁当ケースの各パーツの斜視図であって、食物を収容する容器2、回動体3、螺合軸体12、食物載置皿9、キャップ体1とを備えている。
【００２９】
食物を収容する容器2は、上端部及び下端部が開口した筒状の単体の容器であって、容器内周には、上端部から下端部にまで達するガイド凸部5を対面に２つ設け、食物載置皿9に設けたガイド凹部8と嵌合させて、回動体３を回転させた時食物載置皿9が容器2内を上下にスライド出来る様に形成されている。又、容器下端開口部7近傍外周に嵌合凸部6を設けて、回動体3の嵌合凹部14と嵌合して容器2と回動体3が着脱自在に出来る様にしている。
【００３０】
回動体3は、上記した様に容器下端開口部7に着脱自在に嵌合出来る様、嵌合凹部13を回動体3の内周に設けている。
【００３１】
外表面に螺合部を有する螺合軸体12は、回動体3の中央に連結され、容器2内に詰められた御飯、一口大にカットされた柔らかい惣菜、野菜等の中を貫通し易くする為、先端が円錐状11に形成されている。円錐11の表面は凹凸がなく、滑らかに形成する事によって、串の様な効果を発揮する。円錐11の高さは、少なくとも円柱状の螺合軸体12の直径以上必要である。
【００３２】
食物載置皿9は、上面が平板状に形成され、中央に螺合軸体12に螺合する筒状の螺合部10を設け、筒状の螺合部10は、食物載置皿9の上面より下方向に形成される。又、食物載置皿9の外周に、容器内周のガイド凸部5に嵌合するガイド凹部8を、対面に２つ設けている。これにより、食物載置皿9は螺合軸体12に螺合して取り付けられ、食物載置皿9のガイド凹部8と容器内のガイド凸部5を嵌合させ、回動体3を回転する事によって、容器内を上下にスライドし、食物を出没自在に出来る様にしている。
【００３３】
更に、食物載置皿9は柔らかい食物を載置するもので、容器2から一口分の食物を繰り出した後ただ口に入れるだけなので、食物載置皿9自体で内容物を動かない様に固定したり、グラグラとがたつかないように保持する必要がない。その為、糊や口紅容器の様に、保持体の上面を筒状に形成したり突起部等の凹凸を設けて支えたりする必要もない。よって食物載置皿9は上面を平板状に形成した事で、食べた時皿に食物が残らず、全部食べきる事が出来ると共に、大変洗浄し易くなるという効果がある。又、螺合軸体から着脱自在なので更に洗浄し易い。
【００３４】
キャップ体1は、容器上端開口部4に着脱自在に取り付けられるので、簡単に洗浄出来る。
【００３５】
各パーツの全ての角部は、洗浄し易い様に面取りをして局面に形成されている。
【００３６】
本発明の弁当ケースに収容される食物とは、御飯や、簡単な惣菜、野菜、菓子等、先端を円錐状11に形成した螺合軸体12が貫通出来る程度に柔らく、一口大にカットされたものであれば何でも良い。
【００３７】
以下、図2構成の使用方法を説明する。容器上端開口部4にキャップ体1を装着した後、装着したキャップ体1を底にし、容器2の下端開口部7を上にして、下端開口部7より例えば御飯を詰める。食物載置皿9は、螺合軸体12の一番下まで下げて設置し、設置した螺合軸体12を容器下端開口部7より御飯の中に挿入して、回動体3と容器2を嵌合させる。食べる時は、容器2のキャップ1を外し、容器下端部の回動体3を回転させて、一口分の御飯を容器上端開口部4から出して口に入れるというものである。又、水滴が気になる場合は回動体3底部に給水シートを敷いておくと安心である。
【００３８】
弁当ケースの各パーツの原材料は、ポリプロピレン等の合成樹脂、その他食材がこびり付かない材質であれば特に指定はない。
【００３９】
図３は、縦に２分割した容器16に、連結部14と係止具15を設けて一体成型し、開閉自在に出来る様にした容器16の斜視図である。容器を２分割した事によって、筒状の容器2より御飯等の食物が詰め易いと共に、大変洗浄し易くなるという大きな効果がある。
【００４０】
図４は、縦に２分割した容器16に係止具を設けないで、容器16の両端部の軸方向に沿って段差17を設けて容器16を嵌合させ、連結部14を設けて一体化して成型した容器16の斜視図である。又、図３、図４にこだわらず、他の方法で２つの容器16を嵌合させても良い。
【００４１】
図5は、２分割した容器16に、２つの食物載置皿9、18を設置した螺合軸体12と回動体3を取り付けた断面図である。回動体3の上部は容器16内に挿入し、回動体3下部は容器16外に出る様に形成されていて、回動体3の上部の外周に嵌合凹部19を設け、２分割した容器16内周に形成した嵌合凸部20と嵌合させて、容器16を閉じた時、回動体3を回転させる事によって、食物を容器上端開口部4から出没出来る様にされている。
【００４２】
図６は、着脱自在にした回動体3と螺合軸体12の斜視図である。螺合軸体12は底面を長方形の立方体21に形成し、回動体3は内側の底部中央に２つの凸部22を設け、螺合軸体12と回動体3を嵌合させる様にしている。図６以外にも嵌合部を四角形にしたり、ドライバーの様に、＋形状、六角形等、嵌合せせる方法は形のみならずどの様な方法でも良い。
【００４３】
尚、全図において、容器2、16内周にガイド凸部5、食物載置皿9にガイド凹部8としているが、容器2、16と食物載置皿9の凹凸が逆になっても良い。又、容器下端開口部７近傍に設けた嵌合凸部6と、回動体3に設けた嵌合凹部13も凹凸が逆になっても良い。同様に、回動体3と螺合軸体12を嵌合する凹凸も逆になっても良い。
【符号の説明】
【００４４】
１    キャップ体
２    容器
３    回動体
４    容器上端開口部
５    容器ガイド凸部
６    容器嵌合凸部
７    容器下端開口部
８    食物載置皿ガイド凹部
９    食物載置皿
１０  筒状の螺合部
１１  円錐
１２  螺合軸体
１３  回動体内周に設けた嵌合凹部
１４  連結部
１５  係止具
１６  ２分割した容器
１７  段差
１８  第２の食物載置皿
１９  回動体外周に設けた嵌合凹部
２０  ２分割した容器の嵌合凸部
２１  螺合軸体の嵌合部
２２  回動体の嵌合受部